(57)【要約】【課題】  眼球に微電流を作用させる方法と装置の提供。【解決手段】  眼球に微電流を作用させる方法は人体に適用され、電流導入ステップと、電流導入ステップに基づき少なくとも一種類の微電流に人体の眼部と手部の間で微電流回路を形成させて、この微電流を少なくとも一つの眼球に作用させるステップを具えている。本発明はまた上述の眼球に微電流を作用させる方法に使用される装置を提供する。【選択図】        図１
2005261915.tif 000002
【特許請求の範囲】
【請求項１】
眼球に微電流を作用させる方法において、該方法は人体に適用され、
電流導入ステップと、
電流導入ステップに基づき少なくとも一種類の微電流に人体の少なくとも一つの眼部と少なくとも一つの手部の間で少なくとも一つの微電流回路を形成させて、この微電流を少なくとも一つの眼球に作用させるステップと、
を具えたことを特徴とする、眼球に微電流を作用させる方法。
【請求項２】
請求項１記載の眼球に微電流を作用させる方法において、電流導入ステップが、
少なくとも一つの第１媒体を少なくとも一種類の特定のツボと少なくとも一種類の特定經絡がある眼部に置くステップと、
第２媒体を少なくとも一種類の特定のツボと少なくとも一種類の特定經絡がある同側の手部に置くステップと、
を具えたことを特徴とする、眼球に微電流を作用させる方法。
【請求項３】
請求項２記載の眼球に微電流を作用させる方法において、第１媒体が電極とされたことを特徴とする、眼球に微電流を作用させる方法。
【請求項４】
請求項２記載の眼球に微電流を作用させる方法において、第２媒体が電極とされたことを特徴とする、眼球に微電流を作用させる方法。
【請求項５】
請求項２記載の眼球に微電流を作用させる方法において、眼部の特定のツボが攅竹穴（Ｔｕａｎ−Ｃｈｕ（Ｂ２））とされたことを特徴とする、眼球に微電流を作用させる方法。
【請求項６】
請求項２記載の眼球に微電流を作用させる方法において、眼部の特定のツボが睛明穴（Ｃｈｉｎｇ−Ｍｉｎｇ（Ｂ１））とされたことを特徴とする、眼球に微電流を作用させる方法。
【請求項７】
請求項２記載の眼球に微電流を作用させる方法において、眼部の特定のツボが瞳子膠穴（Ｔｕｎｇ−Ｔｚｕ−Ｊｉａｏ（ＧＢ−１））とされたことを特徴とする、眼球に微電流を作用させる方法。
【請求項８】
請求項２記載の眼球に微電流を作用させる方法において、眼部の特定のツボが太陽穴（Ｔａｙａｎ）とされたことを特徴とする、眼球に微電流を作用させる方法。
【請求項９】
請求項２記載の眼球に微電流を作用させる方法において、眼部の特定のツボが眉中穴（Ｍａｙ−Ｃｈｏｎｇ）とされたことを特徴とする、眼球に微電流を作用させる方法。
【請求項１０】
請求項２記載の眼球に微電流を作用させる方法において、眼部の特定のツボが承泣穴（Ｃｈｅｎｇ−Ｃｈｉ（Ｓ１））とされたことを特徴とする、眼球に微電流を作用させる方法。
【請求項１１】
請求項２記載の眼球に微電流を作用させる方法において、手部の特定のツボが内関穴（Ｎｅｙ−Ｇｗａｎ（Ｔ５））とされたことを特徴とする、眼球に微電流を作用させる方法。
【請求項１２】
請求項１記載の眼球に微電流を作用させる方法において、微電流が搬送波で出力されることを特徴とする、眼球に微電流を作用させる方法。
【請求項１３】
請求項１２記載の眼球に微電流を作用させる方法において、搬送波の周波数範囲が５ＫＨｚから２５ＫＨｚの間であることを特徴とする、眼球に微電流を作用させる方法。
【請求項１４】
請求項１記載の眼球に微電流を作用させる方法において、微電流が少なくとも一種類の搬送波を利用して少なくとも一種類の出力周波数と対応する作用サイクルで作用時間内に出力され、眼球に限定時間続けて作用した後に停止することを特徴とする、眼球に微電流を作用させる方法。
【請求項１５】
請求項１４記載の眼球に微電流を作用させる方法において、出力周波数の周波数範囲が２２７Ｈｚから３３３Ｈｚの間であり、これに対応する作用サイクルは０．１ｍｓから２ｍｓの間であり、これに対応する作用時間が０．１分間から２．８分間であることを特徴とする、眼球に微電流を作用させる方法。
【請求項１６】
請求項１４記載の眼球に微電流を作用させる方法において、出力周波数の周波数範囲が１１Ｈｚから３５Ｈｚの間であり、これに対応する作用サイクルは７ｍｓから２２ｍｓの間であり、これに対応する作用時間が１．５分間から４．１分間であることを特徴とする、眼球に微電流を作用させる方法。
【請求項１７】
請求項１４記載の眼球に微電流を作用させる方法において、出力周波数の周波数範囲が８Ｈｚから２７Ｈｚの間であり、これに対応する作用サイクルは５８ｍｓから７２ｍｓの間であり、これに対応する作用時間が９分間から２２分間であることを特徴とする、眼球に微電流を作用させる方法。
【請求項１８】
請求項１４記載の眼球に微電流を作用させる方法において、出力周波数の周波数範囲が０．０１Ｈｚから０．３３Ｈｚの間であり、これに対応する作用サイクルは１７５０ｍｓから１９５０ｍｓの間であり、これに対応する作用時間が６分間から２２分間であることを特徴とする、眼球に微電流を作用させる方法。
【請求項１９】
請求項１４記載の眼球に微電流を作用させる方法において、限定時間は３分間から３３分間であることを特徴とする、眼球に微電流を作用させる方法。
【請求項２０】
請求項１４記載の眼球に微電流を作用させる方法において、限定時間が到達すると提示音を発生することを特徴とする、眼球に微電流を作用させる方法。
【請求項２１】
請求項１記載の眼球に微電流を作用させる方法において、微電流は１０μＡから２０００μＡの間であることを特徴とする、眼球に微電流を作用させる方法。
【請求項２２】
請求項１記載の眼球に微電流を作用させる方法において、微電流は０．３分から３分ごとに極性が切り換えられることを特徴とする、眼球に微電流を作用させる方法。
【請求項２３】
眼球に微電流を作用させる装置において、該装置は人体に適用され、少なくとも一つの信号線と、少なくとも一つの媒体ユニットと、ホストマシンとを具え、
該少なくとも一つの媒体ユニットは、該信号線に接続されて微電流を該人体の少なくとも一つの眼部と少なくとも一つの手部に導入するのに用いられ、
該ホストマシンは、該信号線に接続され、該微電流を出力し、該微電流は該信号線により該媒体ユニットに流入して微電流回路を形成して該微電流を少なくとも一つの眼球に作用させることを特徴とする、眼球に微電流を作用させる装置。
【請求項２４】
請求項２３記載の眼球に微電流を作用させる装置において、ホストマシンが、
制御信号を出力するコントロールユニットと、
該コントロールユニットに接続されて該制御信号を受け取り、少なくとも一種類の微電流を出力する出力ユニットと、
を具えたことを特徴とする、眼球に微電流を作用させる装置。
【請求項２５】
請求項２３記載の眼球に微電流を作用させる装置において、ホストマシンが、コントロールユニットに接続された指示ユニットを具え、該指示ユニットが、
電源供給状況を指示する電源指示ランプと、
限定時間到達時に提示音を発生するブザーと、
を具えたことを特徴とする、眼球に微電流を作用させる装置。
【請求項２６】
請求項２３記載の眼球に微電流を作用させる装置において、ホストマシンが、コントロールユニットに接続された操作ユニットを具え、該操作ユニットが、
少なくとも一つの第１出力チャンネルの出力する微電流の電流量を制御する少なくとも一つの第１密度回転つまみと、
少なくとも一つの第２出力チャンネルの出力する微電流の電流量を制御する少なくとも一つの第２密度回転つまみと、
を具えたことを特徴とする、眼球に微電流を作用させる装置。
【請求項２７】
請求項２３記載の眼球に微電流を作用させる装置において、媒体ユニットが、
少なくとも一種類の特定のツボと少なくとも一種類の特定經絡がある眼部に置かれる少なくとも一つの第１媒体と、
少なくとも一種類の特定のツボと少なくとも一種類の特定經絡がある手部に置かれる少なくとも一つの第２媒体と、
を具え、微電流を第１媒体と第２媒体を通して該眼部と対応する同側の手部に流入させることを特徴とする、眼球に微電流を作用させる装置。
【請求項２８】
請求項２７記載の眼球に微電流を作用させる装置において、第１媒体が電極とされたことを特徴とする、眼球に微電流を作用させる装置。
【請求項２９】
請求項２７記載の眼球に微電流を作用させる装置において、第２媒体が電極とされたことを特徴とする、眼球に微電流を作用させる装置。
【請求項３０】
請求項２７記載の眼球に微電流を作用させる装置において、眼部の特定のツボが攅竹穴（Ｔｕａｎ−Ｃｈｕ（Ｂ２））とされたことを特徴とする、眼球に微電流を作用させる装置。
【請求項３１】
請求項２７記載の眼球に微電流を作用させる装置において、眼部の特定のツボが睛明穴（Ｃｈｉｎｇ−Ｍｉｎｇ（Ｂ１））とされたことを特徴とする、眼球に微電流を作用させる装置。
【請求項３２】
請求項２７記載の眼球に微電流を作用させる装置において、眼部の特定のツボが瞳子膠穴（Ｔｕｎｇ−Ｔｚｕ−Ｊｉａｏ（ＧＢ−１））とされたことを特徴とする、眼球に微電流を作用させる装置。
【請求項３３】
請求項２７記載の眼球に微電流を作用させる装置において、眼部の特定のツボが太陽穴（Ｔａｙａｎ）とされたことを特徴とする、眼球に微電流を作用させる装置。
【請求項３４】
請求項２７記載の眼球に微電流を作用させる装置において、眼部の特定のツボが眉中穴（Ｍａｙ−Ｃｈｏｎｇ）とされたことを特徴とする、眼球に微電流を作用させる装置。
【請求項３５】
請求項２７記載の眼球に微電流を作用させる装置において、眼部の特定のツボが承泣穴（Ｃｈｅｎｇ−Ｃｈｉ（Ｓ１））とされたことを特徴とする、眼球に微電流を作用させる装置。
【請求項３６】
請求項２７記載の眼球に微電流を作用させる装置において、手部の特定のツボが内関穴（Ｎｅｙ−Ｇｗａｎ（Ｔ５））とされたことを特徴とする、眼球に微電流を作用させる装置。
【請求項３７】
請求項１記載の眼球に微電流を作用させる装置において、微電流が搬送波で出力されることを特徴とする、眼球に微電流を作用させる装置。
【請求項３８】
請求項１２記載の眼球に微電流を作用させる装置において、搬送波の周波数範囲が５ＫＨｚから２５ＫＨｚの間であることを特徴とする、眼球に微電流を作用させる装置。
【請求項３９】
請求項２３記載の眼球に微電流を作用させる装置において、微電流が少なくとも一種類の搬送波を利用して少なくとも一種類の出力周波数と対応する作用サイクルで作用時間内に断続的に出力され、眼球に限定時間続けて作用した後に停止することを特徴とする、眼球に微電流を作用させる装置。
【請求項４０】
請求項３９記載の眼球に微電流を作用させる装置において、出力周波数の周波数範囲が２２７Ｈｚから３３３Ｈｚ間であり、これに対応する作用サイクルは０．１ｍｓから２ｍｓの間であり、これに対応する作用時間が０．１分間から２．８分間であることを特徴とする、眼球に微電流を作用させる装置。
【請求項４１】
請求項３９記載の眼球に微電流を作用させる装置において、出力周波数の周波数範囲が１１Ｈｚから３５Ｈｚの間であり、これに対応する作用サイクルは７ｍｓから２２ｍｓの間であり、これに対応する作用時間が１．５分間から４．１分間であることを特徴とする、眼球に微電流を作用させる装置。
【請求項４２】
請求項３９記載の眼球に微電流を作用させる装置において、出力周波数の周波数範囲が８Ｈｚから２７Ｈｚの間であり、これに対応する作用サイクルは５８ｍｓから７２ｍｓの間であり、これに対応する作用時間が９分間から２２分間であることを特徴とする、眼球に微電流を作用させる装置。
【請求項４３】
請求項３９記載の眼球に微電流を作用させる装置において、出力周波数の周波数範囲が０．０１Ｈｚから０．３３Ｈｚの間であり、これに対応する作用サイクルは１７５０ｍｓから１９５０ｍｓの間であり、これに対応する作用時間が６分間から２２分間であることを特徴とする、眼球に微電流を作用させる装置。
【請求項４４】
請求項３９記載の眼球に微電流を作用させる装置において、限定時間は３分間から３３分間であることを特徴とする、眼球に微電流を作用させる装置。
【請求項４５】
請求項３９記載の眼球に微電流を作用させる装置において、限定時間が到達すると提示音を発生することを特徴とする、眼球に微電流を作用させる装置。
【請求項４６】
請求項１記載の眼球に微電流を作用させる装置において、微電流は１０μＡから２０００μＡの間であることを特徴とする、眼球に微電流を作用させる装置。
【請求項４７】
請求項１記載の眼球に微電流を作用させる装置において、微電流は０．３分から３分ごとに極性が切り換えられることを特徴とする、眼球に微電流を作用させる装置。
【発明の詳細な説明】
【技術分野】
【０００１】
本発明は微電流の生化学応用に係り、特に眼球に微電流を作用させて眼球に生化学反応を発生させる方法と装置に関する。
【背景技術】
【０００２】
現在多くの研究で、微電流刺激の網膜の血管を改善する機能が実証されている。紫外線を眼球に照射して自由基を発生させると、眼球色素細胞が萎縮する。また、老人が高コレステロール症、高血圧症、或いは糖尿病に罹患すると、網膜が血液循環障害の状況を有しやすく、黄斑部に退化性病変が発生しやすい。即ち、患者の中心視力に黒影が出現し、黄斑部が損壊され退化が引き起こされ、影像中心部分が曖昧となり、視力が日々減退する。非特許文献１には、「患者に微電流を刺激すると全ての試験センターでプラスの結果が得られた。例えば、６０％から８０％の患者が視覚能力の改善があると感じた。」と記載されている。更に、Ｄｒ．Ｐａｕｌのレポートによると、微電流刺激は６８％の黄斑部変成（ｄｒｙ  ｍａｃｕｌａｒ  ｄｅｇｅｎｅｒａｔｉｏｎ）患者の視力を改善でき、並びに微電流刺激は５８％の湿型黄斑部変成（ｗｅｔ  ｍａｃｕｌａｒ  ｄｅｇｅｎｅｒａｔｉｏｎ）症患者の視力を改善できたことが記載されている。
【０００３】
このほか研究によると、退化性黄斑部変成を引き起こす原因は、視覚神経細胞の異常と衰退である。即ち、視覚細胞の電位が徐々に減少することで、細胞代謝サイクルが低くなり細胞交換数量が減少し、このために毛様体が弾性を失い、視力の衰弱をもたらす。これにより、微電流で黄斑部変成部を刺激することにより退化性黄斑部変成の遅延と治療が行なえる。
【０００４】
微電流の眼部増強機能の医学論証によると、微電流の作用は視覚神経の伝導を幇助し、直接視覚神経細胞に対して電荷エネルギーを補充し、視神経細胞の活躍と増加を促進する。これにより、筋肉と血管は徐々に軟らかさと弾性を回復する。微電流刺激はＡｒｎｄｔ−Ｓｃｈｕｌｔｓ定律に従う。即ち、「微弱な刺激は身体の正常な運転を促進し、強烈な刺激は身体細胞の活動を抑制或いは阻害しうる」。
【０００５】
医学研究はすでに電流は有効に疼痛を制御できるのみならず、組織の修復を促進し、且つ循環システムを刺激することにより細胞機能を増強できることを実証している。研究によると、電流刺激はＡＴＰ（アデノシン三りん酸）の発生と集中を促し、タンパク質の合成に対して極めて有益であり、且つ十分なエネルギーをナトリウムポンプに提供し、主動輸送メカニズムを促し、細胞内部代謝の廃物を血液に運び、血液中の養分を細胞内に運び、これにより細胞活動をトリガして新陳代謝を加速する。１９５３年にＦｒｉｔｚ  ＬｉｐｍａｎｎはＡＴＰが細胞内の全ての生物化学エネルギーの運搬者であることを実証した。また即ち、ＡＴＰは生物細胞内の養分の燃焼により形成される。その後、生物体中のＡＴＰにより細胞物質合成、筋肉収縮、神経情報伝達及びその他の多種類の整理反応が誘発され得るため、ＡＴＰは細胞のエネルギーの貨幣（ｅｎｅｒｇｙ  ｃｕｒｒｅｎｃｙ）と称される。即ち、生物体中のエネルギーを必要とする全てのものはＡＴＰを使用する必要がある。１９８０年代に、米国で微電流が医療領域内に応用されるようになった。研究レポートによると、１００分の６８の患者が微電流刺激を受けた後、退化性黄斑部変成が遅延或いは改善された。
【０００６】
しかし、上述の研究は微電流の生化学効果に重きが置かれ、微電流を眼部に導入する具体的な方法は提供されておらず、またどのような型式の微電流を使用すれば安全で且つ副作用なく微電流の効能を発揮して眼部を増強する効果が得られるかについても提供されていない。
【０００７】
【非特許文献１】「Ｍｉｒａｃｌｅ  Ｅｙｅ  Ｃｕｒｅ」ペンシルバニア州ピッツバーグ  Ｄｒ．Ｅｄｗａｒｄ  Ｃ．Ｋｏｎｄｒｏｔ著
【発明の開示】
【発明が解決しようとする課題】
【０００８】
本発明の目的は、一種の眼球に微電流を作用させる方法と装置を提供することにある。本発明によると、微電流を眼部と手部の関係するツボと經絡に作用させ、眼部にＡＴＰを発生させて、関係生化学反応を誘発させ、これにより細胞の活性化と再生を促進する。
【課題を解決するための手段】
【０００９】
請求項１の発明は、眼球に微電流を作用させる方法において、該方法は人体に適用され、
電流導入ステップと、
電流導入ステップに基づき少なくとも一種類の微電流に人体の少なくとも一つの眼部と少なくとも一つの手部の間で少なくとも一つの微電流回路を形成させて、この微電流を少なくとも一つの眼球に作用させるステップと、
を具えたことを特徴とする、眼球に微電流を作用させる方法としている。
請求項２の発明は、請求項１記載の眼球に微電流を作用させる方法において、電流導入ステップが、
少なくとも一つの第１媒体を少なくとも一種類の特定のツボと少なくとも一種類の特定經絡がある眼部に置くステップと、
第２媒体を少なくとも一種類の特定のツボと少なくとも一種類の特定經絡がある同側の手部に置くステップと、
を具えたことを特徴とする、眼球に微電流を作用させる方法としている。
請求項３の発明は、請求項２記載の眼球に微電流を作用させる方法において、第１媒体が電極とされたことを特徴とする、眼球に微電流を作用させる方法としている。
請求項４の発明は、請求項２記載の眼球に微電流を作用させる方法において、第２媒体が電極とされたことを特徴とする、眼球に微電流を作用させる方法としている。
請求項５の発明は、請求項２記載の眼球に微電流を作用させる方法において、眼部の特定のツボが攅竹穴（Ｔｕａｎ−Ｃｈｕ（Ｂ２））とされたことを特徴とする、眼球に微電流を作用させる方法としている。
請求項６の発明は、請求項２記載の眼球に微電流を作用させる方法において、眼部の特定のツボが睛明穴（Ｃｈｉｎｇ−Ｍｉｎｇ（Ｂ１））とされたことを特徴とする、眼球に微電流を作用させる方法としている。
請求項７の発明は、請求項２記載の眼球に微電流を作用させる方法において、眼部の特定のツボが瞳子膠穴（Ｔｕｎｇ−Ｔｚｕ−Ｊｉａｏ（ＧＢ−１））とされたことを特徴とする、眼球に微電流を作用させる方法としている。
請求項８の発明は、請求項２記載の眼球に微電流を作用させる方法において、眼部の特定のツボが太陽穴（Ｔａｙａｎ）とされたことを特徴とする、眼球に微電流を作用させる方法としている。
請求項９の発明は、請求項２記載の眼球に微電流を作用させる方法において、眼部の特定のツボが眉中穴（Ｍａｙ−Ｃｈｏｎｇ）とされたことを特徴とする、眼球に微電流を作用させる方法としている。
請求項１０の発明は、請求項２記載の眼球に微電流を作用させる方法において、眼部の特定のツボが承泣穴（Ｃｈｅｎｇ−Ｃｈｉ（Ｓ１））とされたことを特徴とする、眼球に微電流を作用させる方法としている。
請求項１１の発明は、請求項２記載の眼球に微電流を作用させる方法において、手部の特定のツボが内関穴（Ｎｅｙ−Ｇｗａｎ（Ｔ５））とされたことを特徴とする、眼球に微電流を作用させる方法としている。
請求項１２の発明は、請求項１記載の眼球に微電流を作用させる方法において、微電流が搬送波で出力されることを特徴とする、眼球に微電流を作用させる方法としている。
請求項１３の発明は、請求項１２記載の眼球に微電流を作用させる方法において、搬送波の周波数範囲が５ＫＨｚから２５ＫＨｚの間であることを特徴とする、眼球に微電流を作用させる方法としている。
請求項１４の発明は、請求項１記載の眼球に微電流を作用させる方法において、微電流が少なくとも一種類の搬送波を利用して少なくとも一種類の出力周波数と対応する作用サイクルで作用時間内に出力され、眼球に限定時間続けて作用した後に停止することを特徴とする、眼球に微電流を作用させる方法としている。
請求項１５の発明は、請求項１４記載の眼球に微電流を作用させる方法において、出力周波数の周波数範囲が２２７Ｈｚから３３３Ｈｚの間であり、これに対応する作用サイクルは０．１ｍｓから２ｍｓの間であり、これに対応する作用時間が０．１分間から２．８分間であることを特徴とする、眼球に微電流を作用させる方法としている。
請求項１６の発明は、請求項１４記載の眼球に微電流を作用させる方法において、出力周波数の周波数範囲が１１Ｈｚから３５Ｈｚの間であり、これに対応する作用サイクルは７ｍｓから２２ｍｓの間であり、これに対応する作用時間が１．５分間から４．１分間であることを特徴とする、眼球に微電流を作用させる方法としている。
請求項１７の発明は、請求項１４記載の眼球に微電流を作用させる方法において、出力周波数の周波数範囲が８Ｈｚから２７Ｈｚの間であり、これに対応する作用サイクルは５８ｍｓから７２ｍｓの間であり、これに対応する作用時間が９分間から２２分間であることを特徴とする、眼球に微電流を作用させる方法としている。
請求項１８の発明は、請求項１４記載の眼球に微電流を作用させる方法において、出力周波数の周波数範囲が０．０１Ｈｚから０．３３Ｈｚの間であり、これに対応する作用サイクルは１７５０ｍｓから１９５０ｍｓの間であり、これに対応する作用時間が６分間から２２分間であることを特徴とする、眼球に微電流を作用させる方法としている。
請求項１９の発明は、請求項１４記載の眼球に微電流を作用させる方法において、限定時間は３分間から３３分間であることを特徴とする、眼球に微電流を作用させる方法としている。
請求項２０の発明は、請求項１４記載の眼球に微電流を作用させる方法において、限定時間が到達すると提示音を発生することを特徴とする、眼球に微電流を作用させる方法としている。
請求項２１の発明は、請求項１記載の眼球に微電流を作用させる方法において、微電流は１０μＡから２０００μＡの間であることを特徴とする、眼球に微電流を作用させる方法としている。
請求項２２の発明は、請求項１記載の眼球に微電流を作用させる方法において、微電流は０．３分から３分ごとに極性が切り換えられることを特徴とする、眼球に微電流を作用させる方法としている。
請求項２３の発明は、眼球に微電流を作用させる装置において、該装置は人体に適用され、少なくとも一つの信号線と、少なくとも一つの媒体ユニットと、ホストマシンとを具え、
該少なくとも一つの媒体ユニットは、該信号線に接続されて微電流を該人体の少なくとも一つの眼部と少なくとも一つの手部に導入するのに用いられ、
該ホストマシンは、該信号線に接続され、該微電流を出力し、該微電流は該信号線により該媒体ユニットに流入して微電流回路を形成して該微電流を少なくとも一つの眼球に作用させることを特徴とする、眼球に微電流を作用させる装置としている。
請求項２４の発明は、請求項２３記載の眼球に微電流を作用させる装置において、ホストマシンが、
制御信号を出力するコントロールユニットと、
該コントロールユニットに接続されて該制御信号を受け取り、少なくとも一種類の微電流を出力する出力ユニットと、
を具えたことを特徴とする、眼球に微電流を作用させる装置としている。
請求項２５の発明は、請求項２３記載の眼球に微電流を作用させる装置において、ホストマシンが、コントロールユニットに接続された指示ユニットを具え、該指示ユニットが、
電源供給状況を指示する電源指示ランプと、
限定時間到達時に提示音を発生するブザーと、
を具えたことを特徴とする、眼球に微電流を作用させる装置としている。
請求項２６の発明は、請求項２３記載の眼球に微電流を作用させる装置において、ホストマシンが、コントロールユニットに接続された操作ユニットを具え、該操作ユニットが、
少なくとも一つの第１出力チャンネルの出力する微電流の電流量を制御する少なくとも一つの第１密度回転つまみと、
少なくとも一つの第２出力チャンネルの出力する微電流の電流量を制御する少なくとも一つの第２密度回転つまみと、
を具えたことを特徴とする、眼球に微電流を作用させる装置としている。
請求項２７の発明は、請求項２３記載の眼球に微電流を作用させる装置において、媒体ユニットが、
少なくとも一種類の特定のツボと少なくとも一種類の特定經絡がある眼部に置かれる少なくとも一つの第１媒体と、
少なくとも一種類の特定のツボと少なくとも一種類の特定經絡がある手部に置かれる少なくとも一つの第２媒体と、
を具え、微電流を第１媒体と第２媒体を通して該眼部と対応する同側の手部に流入させることを特徴とする、眼球に微電流を作用させる装置としている。
請求項２８の発明は、請求項２７記載の眼球に微電流を作用させる装置において、第１媒体が電極とされたことを特徴とする、眼球に微電流を作用させる装置としている。
請求項２９の発明は、請求項２７記載の眼球に微電流を作用させる装置において、第２媒体が電極とされたことを特徴とする、眼球に微電流を作用させる装置としている。
請求項３０の発明は、請求項２７記載の眼球に微電流を作用させる装置において、眼部の特定のツボが攅竹穴（Ｔｕａｎ−Ｃｈｕ（Ｂ２））とされたことを特徴とする、眼球に微電流を作用させる装置としている。
請求項３１の発明は、請求項２７記載の眼球に微電流を作用させる装置において、眼部の特定のツボが睛明穴（Ｃｈｉｎｇ−Ｍｉｎｇ（Ｂ１））とされたことを特徴とする、眼球に微電流を作用させる装置としている。
請求項３２の発明は、請求項２７記載の眼球に微電流を作用させる装置において、眼部の特定のツボが瞳子膠穴（Ｔｕｎｇ−Ｔｚｕ−Ｊｉａｏ（ＧＢ−１））とされたことを特徴とする、眼球に微電流を作用させる装置としている。
請求項３３の発明は、請求項２７記載の眼球に微電流を作用させる装置において、眼部の特定のツボが太陽穴（Ｔａｙａｎ）とされたことを特徴とする、眼球に微電流を作用させる装置としている。
請求項３４の発明は、請求項２７記載の眼球に微電流を作用させる装置において、眼部の特定のツボが眉中穴（Ｍａｙ−Ｃｈｏｎｇ）とされたことを特徴とする、眼球に微電流を作用させる装置としている。
請求項３５の発明は、請求項２７記載の眼球に微電流を作用させる装置において、眼部の特定のツボが承泣穴（Ｃｈｅｎｇ−Ｃｈｉ（Ｓ１））とされたことを特徴とする、眼球に微電流を作用させる装置としている。
請求項３６の発明は、請求項２７記載の眼球に微電流を作用させる装置において、手部の特定のツボが内関穴（Ｎｅｙ−Ｇｗａｎ（Ｔ５））とされたことを特徴とする、眼球に微電流を作用させる装置としている。
請求項３７の発明は、請求項１記載の眼球に微電流を作用させる装置において、微電流が搬送波で出力されることを特徴とする、眼球に微電流を作用させる装置としている。
請求項３８の発明は、請求項１２記載の眼球に微電流を作用させる装置において、搬送波の周波数範囲が５ＫＨｚから２５ＫＨｚの間であることを特徴とする、眼球に微電流を作用させる装置としている。
請求項３９の発明は、請求項２３記載の眼球に微電流を作用させる装置において、微電流が少なくとも一種類の搬送波を利用して少なくとも一種類の出力周波数と対応する作用サイクルで作用時間内に断続的に出力され、眼球に限定時間続けて作用した後に停止することを特徴とする、眼球に微電流を作用させる装置としている。
請求項４０の発明は、請求項３９記載の眼球に微電流を作用させる装置において、出力周波数の周波数範囲が２２７Ｈｚから３３３Ｈｚ間であり、これに対応する作用サイクルは０．１ｍｓから２ｍｓの間であり、これに対応する作用時間が０．１分間から２．８分間であることを特徴とする、眼球に微電流を作用させる装置としている。
請求項４１の発明は、請求項３９記載の眼球に微電流を作用させる装置において、出力周波数の周波数範囲が１１Ｈｚから３５Ｈｚの間であり、これに対応する作用サイクルは７ｍｓから２２ｍｓの間であり、これに対応する作用時間が１．５分間から４．１分間であることを特徴とする、眼球に微電流を作用させる装置としている。
請求項４２の発明は、請求項３９記載の眼球に微電流を作用させる装置において、出力周波数の周波数範囲が８Ｈｚから２７Ｈｚの間であり、これに対応する作用サイクルは５８ｍｓから７２ｍｓの間であり、これに対応する作用時間が９分間から２２分間であることを特徴とする、眼球に微電流を作用させる装置としている。
請求項４３の発明は、請求項３９記載の眼球に微電流を作用させる装置において、出力周波数の周波数範囲が０．０１Ｈｚから０．３３Ｈｚの間であり、これに対応する作用サイクルは１７５０ｍｓから１９５０ｍｓの間であり、これに対応する作用時間が６分間から２２分間であることを特徴とする、眼球に微電流を作用させる装置としている。
請求項４４の発明は、請求項３９記載の眼球に微電流を作用させる装置において、限定時間は３分間から３３分間であることを特徴とする、眼球に微電流を作用させる装置としている。
請求項４５の発明は、請求項３９記載の眼球に微電流を作用させる装置において、限定時間が到達すると提示音を発生することを特徴とする、眼球に微電流を作用させる装置としている。
請求項４６の発明は、請求項１記載の眼球に微電流を作用させる装置において、微電流は１０μＡから２０００μＡの間であることを特徴とする、眼球に微電流を作用させる装置としている。
請求項４７の発明は、請求項１記載の眼球に微電流を作用させる装置において、微電流は０．３分から３分ごとに極性が切り換えられることを特徴とする、眼球に微電流を作用させる装置としている。
【発明の効果】
【００１０】
本発明の提供する眼球に微電流を作用させる方法と装置は、微電流を利用して眼球を刺激してアデノシン三リン酸の発生を促し、並びにこれにより関係する生化学メカニズムを誘発し、細胞新陳代謝を助ける。
【発明を実施するための最良の形態】
【００１１】
本発明によると、眼球に微電流を作用させる方法は人体に適用され、電流導入ステップと、電流導入ステップに基づき少なくとも一種類の微電流に人体の眼部と手部の間で微電流回路を形成させて、この微電流を少なくとも一つの眼球に作用させてＡＴＰを発生させるステップと、を具えている。
【００１２】
本発明の好ましい実施例によると、上述の電流導入ステップでは、先ず第１媒体を眼部に置く。この眼部内には少なくとも一種類の特定のツボと少なくとも一種類の特定經絡がある。続いて、第２媒体を同側の手部に置く。この手部内にも少なくとも一種類の特定のツボと少なくとも一種類の特定經絡がある。その後、微電流を第１媒体と第２媒体を通して眼部と対応する同側の手部に流入させる。
【００１３】
本発明の好ましい実施例によると、上述の眼球に微電流を作用させる装置は人体に適用される。この装置は、信号線、媒体ユニットとホストマシンを具えている。そのうち、媒体ユニットはこの信号線に接続されて微電流を人体の眼部と対応する同側の手部に導入するのに用いられる。更にホストマシンはこの信号線に接続され、且つこの微電流を出力し、この微電流は信号線により媒体ユニットに流入し、眼部と対応する同側の手部の間にあって微電流回路を形成し、これにより微電流が少なくとも一つの眼球に作用する。
【００１４】
本発明の好ましい実施例によると、上述の第１媒体と第２媒体は電極とされる。
【００１５】
本発明の好ましい実施例によると、上述の微電流は特定の搬送波を以て出力される。
【００１６】
本発明の好ましい実施例によると、上述の搬送波の周波数範囲は５ＫＨｚから２５ＫＨｚの間とされる。
【００１７】
本発明の好ましい実施例によると、上述の微電流は少なくとも一種類の搬送波を利用し少なくとも一種類の出力周波数と対応する作用サイクルで作用時間内に断続的に出力され、この眼球に限定時間続けて作用した後に停止される。
【００１８】
本発明の好ましい実施例によると、上述の出力周波数範囲が２２７Ｈｚから３３３Ｈｚの間とされるなら、それに対応する作用サイクルは０．１ｍｓから２ｍｓの間であり、且つ対応する作用時間は０．１分間から２．８分間の間である。
【００１９】
本発明の好ましい実施例によると、上述の出力周波数範囲が１１Ｈｚから３５Ｈｚの間とされるなら、それに対応する作用サイクルは７ｍｓから２２ｍｓの間であり、且つ対応する作用時間は１．５分間から４．１分間の間である。
【００２０】
本発明の好ましい実施例によると、上述の出力周波数範囲が８Ｈｚから２７Ｈｚの間とされるなら、それに対応する作用サイクルは５８ｍｓから７２ｍｓの間であり、且つ対応する作用時間は９分間から２２分間の間である。
【００２１】
本発明の好ましい実施例によると、上述の出力周波数範囲が０．０１Ｈｚから０．３３Ｈｚの間とされるなら、それに対応する作用サイクルは１７５０ｍｓから１９５０ｍｓの間であり、且つ対応する作用時間は６分間から２２分間の間である。
【００２２】
本発明の好ましい実施例によると、上述の限定時間は３分間から３３分間の間とされる。
【００２３】
本発明の好ましい実施例によると、上述の微電流では１０μＡから２０００μＡとされる。
【００２４】
本発明の好ましい実施例によると、上述のホストマシンはコントロールユニットと出力ユニットを具えている。そのうち、コントロールユニットは制御信号を出力する。更に出力ユニットはこのコントロールユニットに接続され、並びにこの制御信号を入力し、少なくとも一種類の微電流を出力する。
【００２５】
本発明の好ましい実施例によると、上述のホストマシンは更に指示ユニットを具え、この指示ユニットは制御ユニットに接続され、電源指示ランプとブザーを具え、そのうち、電源指示ランプは電源供給状況を指示し、ブザーは限定時間到達時に提示音を発生する。
【００２６】
本発明の好ましい実施例によると、上述のホストマシンは更に操作ユニットを具え、この操作ユニットは制御ユニットに接続され、第１密度回転つまみと第２密度回転つまみを具え、第１密度回転つまみは第１出力チャンネルの微電流の電流量を制御し、第２密度回転つまみは第２出力チャンネルの微電流の電流量を制御する。
【００２７】
本発明の好ましい実施例によると、上述の媒体ユニットは、第１媒体と第２媒体を具え、そのうち、第１媒体は眼部に貼り付けられ、この眼部内に少なくとも一種類の特定のツボと少なくとも一種類の特定經絡がある。更に第２媒体は対応する同側の手部に貼り付けられ、この手部内に少なくとも一種類の特定のツボと少なくとも一種類の特定經絡があり、この微電流はこの第１媒体と第２媒体を通りこの眼部と対応する同側の手部に流入する。
【実施例１】
【００２８】
図１は本発明の好ましい実施例の眼球に微電流を作用させる装置の電気回路ブロック図である。本装置は、媒体ユニット１４２、信号線１０４、信号線１０８、信号線１１２、信号線１１６及びホストマシン１２２を具えている。そのうち、媒体ユニット１４２は第１媒体１０２と第２媒体１０６、第１媒体１１０と第２媒体１１４を具えている。さらに、ホストマシン１２２は第１出力チャンネル１１８、第２出力チャンネル１２０、コントロールユニット１２４、出力ユニット１２６、操作ユニット１２８、第１密度回転つまみ１３０、第２密度回転つまみ１３２、指示ユニット１３４、ブザー１３６、電源指示ランプ１３８と電源供給ユニット１４０を具えている。そのうち、電源指示ランプ１３８は電源供給状況を指示する。
【００２９】
そのうち、第１媒体１０２、第２媒体１０６、第１媒体１１０、第２媒体１１４はいずれも電極パッチとされる。第１媒体１０２は電気的に信号線１０４に接続され、且つ信号線１０４は電気的に第１出力チャンネル１１８に接続されている。第２媒体１０６は電気的に信号線１０８に接続され、且つ信号線１０８は電気的に第１出力チャンネル１１８に接続されている。第１媒体１１０は電気的に信号線１１２に接続され、且つ信号線１１２は電気的に第２出力チャンネル１２０に接続されている。第２媒体１１４は電気的に信号線１１６に接続され、且つ信号線１１６は電気的に第２出力チャンネル１２０に接続されている。
【００３０】
このほか、第１出力チャンネル１１８と第２出力チャンネル１２０は電気的に出力ユニット１２６に接続されている。さらに、出力ユニット１２６は電気的にコントロールユニット１２４に接続されている。且つコントロールユニット１２４は電気的に操作ユニット１２８、指示ユニット１３４に接続されている。操作ユニット１２８は電気的に第１密度回転つまみ１３０と第２密度回転つまみ１３２に接続されている。更に、指示ユニット１３４は電気的にブザー１３６と電源指示ランプ１３８に接続されている。また、電源供給ユニット１４０はコントロールユニット１２４、操作ユニット１２８と指示ユニット１３４に接続され、電源供給ユニット１４０が直流電源を入力してホストマシン１２２の必要な電源を供給する。
【００３１】
以下に本装置の運転原理を説明する。図２を参照されたい。図２は本発明の好ましい実施例の眼球に微電流を作用させる方法の人体への作用の表示図である。本方法は以下のステップを具えている。即ち、本装置を使用する前に、使用者は電流導入ステップを実行する。その後、この電流導入ステップにより、微電流に人体の左右の眼部と対応する左右の手部の間で二つの微電流回路を形成させ、微電流を左右の眼球に作用させる。
【００３２】
前述の電流導入ステップは以下のステップを具えている。即ち、使用者に対して、使用者の右の眼部に第１媒体１０２を貼り付け、且つ対応する同側の右の手部に第２媒体１０４を貼り付ける。並びに使用者の左の眼部に第１媒体１１０を貼り付け、且つ対応する同側の左の手部に第２媒体１１４を貼り付ける。その後、電源オンする。コントロールユニット１２４が制御信号を出力ユニット１２６に出力し、出力ユニット１２６に第１微電流を第１出力チャンネル１１８に出力させ、且つ出力ユニット１２６に第２微電流を第２出力チャンネル１２０に出力させる。その後、第１出力チャンネル１１８が第１微電流を信号線１０４を通して第１媒体１０２に伝送する。続いて、第１媒体１０２と第２媒体１０６が電位差を発生することにより、微電流が第１媒体１０２より人体に流入する。続いて、微電流が第２媒体１０６に流入する。その後、微電流は第２媒体１０６より第１出力チャンネル１１８に流入する。最後に微電流は第１出力チャンネル１１８を通り出力ユニット１２６に戻る。これにより、上述の微電流が第１微電流回路２０２を形成する。
【００３３】
これと同様に、第２出力チャンネル１２０が第２微電流を信号線１１２を通して第１媒体１１０に伝送した後、微電流が第２微電流回路２０４を形成する。このほか、微電流は０．３分間から３分間ごとに極性が切り換えられて、電流方向が改変する。上述したように、人体内において、第１微電流回路２０２は右眼部と右手部の特定のツボと經絡を刺激する。第２微電流回路２０４は左眼部と左手部の特定のツボと經絡を刺激する。そのうち、眼部の特定のツボは攅竹穴（Ｔｕａｎ−Ｃｈｕ（Ｂ２））、睛明穴（Ｃｈｉｎｇ−Ｍｉｎｇ（Ｂ１））、瞳子膠穴（Ｔｕｎｇ−Ｔｚｕ−Ｊｉａｏ（ＧＢ−１））、太陽穴（Ｔａｙａｎ）、眉中穴（Ｍａｙ−Ｃｈｏｎｇ）、承泣穴（Ｃｈｅｎｇ−Ｃｈｉ（Ｓ１））等とされ、手部の特定のツボは内関穴（Ｎｅｙ−Ｇｗａｎ（Ｔ５））とされる。
【００３４】
上述のコントロールユニット１２４はメモリが埋め込まれたマイクロプロセッサとされ、ＧＰＩＯ（Ｇｅｎｅｒａｌ  Ｐｕｒｐｏｓｅ  Ｉｎｐｕｔ／Ｏｕｔｐｕｔ）を利用して上述の制御信号を出力する。即ち、この制御信号内には特定の搬送波が含まれる。その後、コントロールユニット１２４はこの特定搬送波を入力ユニット１２６に入力し、デジタル−アナログ変換、増幅処理等を行なう。続いて、出力ユニット１２６は特定搬送波を第１出力チャンネル１１８と第２出力チャンネル１２０より出力する。
【００３５】
以上から分かるように、微電流は少なくとも一種類の搬送波を利用して多種類の出力周波数とその対応する作用サイクルを以て、ある作用時間内に断続的に出力され、この眼球にある限定時間作用した後に停止する。本実施例中、微電流は四種類の型式で出力される。搬送波の周波数範囲は５ＫＨｚから２５ＫＨｚの間とされる。第１種の微電流形式は、この出力周波数範囲が２２７Ｈｚから３３３Ｈｚの間で、対応する作用サイクルは０．１ｍｓから２ｍｓの間、且つ対応する作用時間は０．１分間から２．８分間の間である。第２種の微電流形式は、この出力周波数範囲が１１Ｈｚから３５Ｈｚの間で、対応する作用サイクルは７ｍｓから２２ｍｓの間、且つ対応する作用時間は１．５分間から４．１分間の間である。第３種の微電流形式は、この出力周波数範囲が８Ｈｚから２７Ｈｚの間で、対応する作用サイクルは５８ｍｓから７２ｍｓの間、且つ対応する作用時間は９分間から２２分間の間である。第４種の微電流形式は、この出力周波数範囲が０．０１Ｈｚから０．３３Ｈｚの間で、対応する作用サイクルは１７５０ｍｓから１９５０ｍｓの間、且つ対応する作用時間は６分間から２２分間の間である。
【００３６】
上述の四種類の微電流形式は状況に応じて一つから四種類を同時に使用するが、限定時間３分間から３３分間の間は使用を停止する必要がある。並びに限定時間が到達すると、ブザー１３６が提示音を発生する。さらに、微電流は１０μＡから２０００μＡの間である。微電流の電流量の制御は、第１密度回転つまみ１３０で第１出力チャンネル１１８の出力する微電流量を制御し、第２密度回転つまみ１３２で第２出力チャンネル１２０の出力する微電流量を制御する。例えば、第１密度回転つまみ１３０は可変抵抗に電気的に接続され、可変抵抗を回転させて可変抵抗を流れる電流量を改変でき、これにより微電流の出力電流量を改変できる。なお、上述の数値は実験後の最適化の結果であり、眼部にプラスの生化学反応を発生させることができる。微電流の単位時間内の眼部に作用するエネルギー量が低過ぎると、予期された効果を達成できない。微電流の単位時間内の眼部に作用するエネルギー量が高過ぎると、人体に対して障害を及ぼす恐れがある。
【００３７】
なお、本実施例は僅かに説明のために提示されたものであり、本装置は僅かに第１媒体と第２媒体を単一の眼球に使用しているが、複数組の第１媒体と第２媒体を使用して複数の人が本装置を同時に使用できる形態となすこともできる。且つ、必要に応じて密度回転つまみと出力チャンネルの数量を増すことができる。このほか、微電流の形式と種類もまたその他の形式に変換できる。これにより、この技術に習熟した者であれば、状況に応じてその実施方式を調整できる。
【００３８】
総合すると、本発明の眼球に微電流を作用させる方法と装置は、微弱な電流を使用して視覚神経を刺激し、細胞の活性化と再生を促進し、ゆえに本発明は安全で副作用のない方法と装置である。
【図面の簡単な説明】
【００３９】
【図１】本発明の好ましい実施例の眼球に微電流を作用させる装置の電気回路ブロック図である。
【図２】本発明の好ましい実施例の眼球に微電流を作用させる方法の人体への作用の表示図である。
【符号の説明】
【００４０】
１０１、１１０  第１媒体
１０４、１０８、１１２、１１６  信号線
１０６、１１４  第２媒体
１１８  第１出力チャンネル
１２０  第２出力チャンネル
１２２  ホストマシン
１２４  コントロールユニット
１２６  出力ユニット
１２８  操作ユニット
１３０  第１密度回転つまみ
１３２  第２密度回転つまみ
１３４  指示ランプ
１３６  ブザー
１３８  電源指示ランプ
１４０  電源供給ユニット
１４２  媒体ユニット
２０２  第１微電流回路
２０４  第２微電流回路
【図１】
2005261915.tif 000003
【図２】
2005261915.tif 000004